(57)【要約】【課題】近距離無線通信により携帯端末を介して取得された印刷データを印刷可能な画像形成装置において、トラブル等が発生したときに、印刷データを消去しなくても良い場合と、消去して印刷データのセキュリティを確保すべき場合を的確に判断して、ユーザの利便性を図ることができる画像形成装置等を提供する。【解決手段】印刷手段１０５による印刷データの印刷が終了するまでの間、携帯端末２との間で近距離無線通信手段１１０による通信が可能か否かが判断され、その判断結果と、印刷データの印刷が終了するまでの自装置の印刷動作状態とに基づいて、印刷データは記憶手段１０７から消去されまたは継続保持される。【選択図】  図９
2010005877.tif 000002
【特許請求の範囲】
【請求項１】
ユーザの携帯端末と近距離無線通信が可能な近距離無線通信手段と、
前記携帯端末から送信され近距離無線通信手段により受信された印刷データ、または携帯端末から送信された印刷データの保存先情報に基づいて取得された印刷データを記憶する記憶手段と、
前記記憶された印刷データを印刷する印刷手段と、
前記印刷手段による印刷データの印刷が終了するまでの間、前記携帯端末との間で前記近距離無線通信手段による通信が可能か否かを判断する通信可否判断手段と、
前記通信可否判断手段による判断結果と、印刷データの印刷が終了するまでの自装置の印刷動作状態とに基づいて、前記記憶手段に記憶されている前記印刷データを記憶手段から消去しまたは記憶手段に継続保持させる制御手段と、
を備えていることを特徴とする画像形成装置。
【請求項２】
前記近距離無線通信手段による印刷データの受信開始後印刷手段による印刷開始前に、正常印刷可能であるにもかかわらず、前記携帯端末との通信が不能と判断された場合は、前記制御手段は印刷データを消去する請求項１に記載の画像形成装置。
【請求項３】
正常印刷動作中に、前記携帯端末との通信が不能と判断された場合は、前記制御手段は印刷データを継続保持させ印刷動作を継続させる請求項１に記載の画像形成装置。
【請求項４】
ユーザ操作を必要とすることなく正常印刷動作に復帰可能な原因による印刷動作の中断中に、前記携帯端末との通信が不能と判断された場合は、前記制御手段は印刷データを継続保持させ、携帯端末との通信が可能となりかつ正常動作可能な状態に復帰したときに印刷動作を再開させる請求項１に記載の画像形成装置。
【請求項５】
ユーザ操作により正常印刷動作に復帰可能なトラブルにより印刷動作が中断しても、前記携帯端末との通信が可能と判断された場合は、前記制御手段は印刷データを継続保持させ、正常動作可能な状態に復帰後に印刷動作を再開させる請求項１に記載の画像形成装置。
【請求項６】
ユーザ操作により正常印刷動作に復帰可能なトラブルによる印刷動作の中断中に、前記携帯端末との通信が不能と判断された場合は、前記制御手段は印刷データを消去する請求項１に記載の画像形成装置。
【請求項７】
消耗品の補給により正常印刷動作に復帰可能なトラブルにより印刷動作が中断しても、前記携帯端末との通信が可能と判断された場合は、前記制御手段は印刷データを継続保持させ、正常動作可能な状態に復帰後に印刷動作を再開させる請求項１に記載の画像形成装置。
【請求項８】
消耗品の補給により正常印刷動作に復帰可能なトラブルによる印刷動作の中断中に、前記携帯端末との通信が不能と判断された場合において、通信不能時間が所定時間を上回ると、前記制御手段は印刷データを消去する請求項１に記載の画像形成装置。
【請求項９】
前記通信不能時間は、携帯端末との通信が可能と判断された場合にリセットされる請求項８に記載の画像形成装置。
【請求項１０】
通信不能状態の継続中に、正常動作可能な状態に復帰した場合、前記制御手段は印刷データを消去する請求項８または９に記載の画像形成装置。
【請求項１１】
制御手段による印刷データの消去後に、前記携帯端末との通信が可能と判断された場合、前記印刷データを消去したことを携帯端末に通知する通知手段を備えている請求項２、６、８〜１０のいずれかに記載の画像形成装置。
【請求項１２】
前記近距離無線通信手段はブルートゥースを用いた通信手段である請求項１〜１１のいずれかに記載の画像形成装置。
【請求項１３】
ユーザの携帯端末から送信され、近距離無線通信手段により受信された印刷データ、または携帯端末から送信された印刷データの保存先情報に基づいて取得された印刷データを記憶手段に記憶するステップと、
前記記憶された印刷データを印刷手段により印刷するステップと、
前記印刷ステップによる印刷データの印刷が終了するまでの間、前記携帯端末との間で前記近距離無線通信手段による通信が可能か否かを判断するステップと、
前記通信可否判断ステップによる判断結果と、印刷データの印刷が終了するまでの自装置の印刷動作状態とに基づいて、前記記憶手段に記憶されている前記印刷データを記憶手段から消去しまたは記憶手段に継続保持させるステップと、
を備えていることを特徴とする画像形成装置の印刷データ処理方法。
【請求項１４】
ユーザの携帯端末から送信され、近距離無線通信手段により受信された印刷データ、または携帯端末から送信された印刷データの保存先情報に基づいて取得された印刷データを記憶手段に記憶するステップと、
前記記憶された印刷データを印刷手段により印刷するステップと、
前記印刷ステップによる印刷データの印刷が終了するまでの間、前記携帯端末との間で前記近距離無線通信手段による通信が可能か否かを判断するステップと、
前記通信可否判断ステップによる判断結果と、印刷データの印刷が終了するまでの自装置の印刷動作状態とに基づいて、前記記憶手段に記憶されている前記印刷データを記憶手段から消去しまたは記憶手段に継続保持させるステップと、
を画像形成装置のコンピュータに実行させるための印刷データ処理プログラム。
【発明の詳細な説明】
【技術分野】
【０００１】
この発明は、ユーザの携帯端末から近距離無線通信により送信された印刷データ、または携帯端末から送信されてきた印刷データの保存先情報に基づいて取得された印刷データを印刷可能な画像形成装置、同装置における印刷データ処理方法及び処理プログラムに関する。
【背景技術】
【０００２】
多機能デジタル複合機であるＭＦＰ（Multi Function Peripherals)等の画像形成装置として、例えばブルートゥース（Bluetooth）等の近距離無線通信により携帯電話等の携帯端末から送信されてきた印刷データを受信して印刷できる構成のものが知られている（例えば、特許文献１参照）。
【０００３】
このような画像形成装置においても、他の画像形成装置と同様に、画像形成装置内に記憶された印刷データに対するセキュリティの意識が高まっている。セキュリティを確保するためには、画像形成装置にトラブル等が発生した場合、記憶されている印刷データを消去するのが望ましい。
【０００４】
また、特許文献２には、機密保持を要する文書の印刷実行中にエラーが発生したとき、既に記憶されているデータを直ちに消去するのではなく、ネットワークを介して、印刷をリトライするかどうかを当該ジョブの要求元であるホストコンピュータに問い合わせ、その結果リトライの指示があればリトライを実行し、リトライ不実施の指示があれば、ジョブをキャンセルしてデータを消去する画像形成装置が提案されている。
【０００５】
さらに、トラブルの発生により印刷が中断された場合に、そのことを画像形成装置の表示パネルやプリントを指示したユーザのコンピュータの表示装置に表示する画像形成装置も知られている。
【特許文献１】特開２００７−１５７０８４号公報
【特許文献２】特開２００６−２２７７６０号公報
【発明の開示】
【発明が解決しようとする課題】
【０００６】
しかしながら、トラブル等が発生した場合に、記憶されている印刷データを無条件で消去すると、直ぐに復帰可能なトラブルであっても、ユーザは携帯端末から再度印刷データを画像形成装置に送信しなければならず、使い勝手が良くないという問題がある。
【０００７】
かといって、特許文献２に記載されているように、トラブル時等にユーザに通知しようとしても、ユーザが画像形成装置から離れて近距離無線通信が不能になっているときは、通知そのものを行うことができず、印刷データが放置されてセキュリティを確保できないという問題がある。また、ユーザに通知するために携帯端末への通知宛先を登録する構成にすると、登録していないユーザは使用できないことから、やはり使い勝手が良くないという新たな問題が派生する。
【０００８】
この発明は、このような技術的背景に鑑みてなされたものであって、近距離無線通信により携帯端末を介して取得された印刷データを印刷可能な画像形成装置において、トラブル等が発生したときに、印刷データを消去しなくても良い場合と、消去して印刷データのセキュリティを確保すべき場合を的確に判断して、ユーザの利便性を図ることができる画像形成装置を提供し、さらには同装置における印刷データ処理方法及び処理プログラムを提供することを課題とする。
【課題を解決するための手段】
【０００９】
上記課題は、以下の手段によって解決される。
（１）ユーザの携帯端末と近距離無線通信が可能な近距離無線通信手段と、前記携帯端末から送信され近距離無線通信手段により受信された印刷データ、または携帯端末から送信された印刷データの保存先情報に基づいて取得された印刷データを記憶する記憶手段と、前記記憶された印刷データを印刷する印刷手段と、前記印刷手段による印刷データの印刷が終了するまでの間、前記携帯端末との間で前記近距離無線通信手段による通信が可能か否かを判断する通信可否判断手段と、前記通信可否判断手段による判断結果と、印刷データの印刷が終了するまでの自装置の印刷動作状態とに基づいて、前記記憶手段に記憶されている前記印刷データを記憶手段から消去しまたは記憶手段に継続保持させる制御手段と、を備えていることを特徴とする画像形成装置。
（２）前記近距離無線通信手段による印刷データの受信開始後印刷手段による印刷開始前に、正常印刷可能であるにもかかわらず、前記携帯端末との通信が不能と判断された場合は、前記制御手段は印刷データを消去する前項１に記載の画像形成装置。
（３）正常印刷動作中に、前記携帯端末との通信が不能と判断された場合は、前記制御手段は印刷データを継続保持させ印刷動作を継続させる前項１に記載の画像形成装置。
（４）ユーザ操作を必要とすることなく正常印刷動作に復帰可能な原因による印刷動作の中断中に、前記携帯端末との通信が不能と判断された場合は、前記制御手段は印刷データを継続保持させ、携帯端末との通信が可能となりかつ正常動作可能な状態に復帰したときに印刷動作を再開させる前項１に記載の画像形成装置。
（５）ユーザ操作により正常印刷動作に復帰可能なトラブルにより印刷動作が中断しても、前記携帯端末との通信が可能と判断された場合は、前記制御手段は印刷データを継続保持させ、正常動作可能な状態に復帰後に印刷動作を再開させる前項１に記載の画像形成装置。
（６）ユーザ操作により正常印刷動作に復帰可能なトラブルによる印刷動作の中断中に、前記携帯端末との通信が不能と判断された場合は、前記制御手段は印刷データを消去する前項１に記載の画像形成装置。
（７）消耗品の補給により正常印刷動作に復帰可能なトラブルにより印刷動作が中断しても、前記携帯端末との通信が可能と判断された場合は、前記制御手段は印刷データを継続保持させ、正常動作可能な状態に復帰後に印刷動作を再開させる前項１に記載の画像形成装置。
（８）消耗品の補給により正常印刷動作に復帰可能なトラブルによる印刷動作の中断中に、前記携帯端末との通信が不能と判断された場合において、通信不能時間が所定時間を上回ると、前記制御手段は印刷データを消去する前項１に記載の画像形成装置。
（９）前記通信不能時間は、携帯端末との通信が可能と判断された場合にリセットされる前項８に記載の画像形成装置。
（１０）通信不能状態の継続中に、正常動作可能な状態に復帰した場合、前記制御手段は印刷データを消去する前項８または９に記載の画像形成装置。
（１１）制御手段による印刷データの消去後に、前記携帯端末との通信が可能と判断された場合、前記印刷データを消去したことを携帯端末に通知する通知手段を備えている前項２、６、８〜１０のいずれかに記載の画像形成装置。
（１２）前記近距離無線通信手段はブルートゥースを用いた通信手段である前項１〜１１のいずれかに記載の画像形成装置。
（１３）ユーザの携帯端末から送信され、近距離無線通信手段により受信された印刷データ、または携帯端末から送信された印刷データの保存先情報に基づいて取得された印刷データを記憶手段に記憶するステップと、前記記憶された印刷データを印刷手段により印刷するステップと、前記印刷ステップによる印刷データの印刷が終了するまでの間、前記携帯端末との間で前記近距離無線通信手段による通信が可能か否かを判断するステップと、前記通信可否判断ステップによる判断結果と、印刷データの印刷が終了するまでの自装置の印刷動作状態とに基づいて、前記記憶手段に記憶されている前記印刷データを記憶手段から消去しまたは記憶手段に継続保持させるステップと、を備えていることを特徴とする画像形成装置の印刷データ処理方法。
（１４）ユーザの携帯端末から送信され、近距離無線通信手段により受信された印刷データ、または携帯端末から送信された印刷データの保存先情報に基づいて取得された印刷データを記憶手段に記憶するステップと、前記記憶された印刷データを印刷手段により印刷するステップと、前記印刷ステップによる印刷データの印刷が終了するまでの間、前記携帯端末との間で前記近距離無線通信手段による通信が可能か否かを判断するステップと、前記通信可否判断ステップによる判断結果と、印刷データの印刷が終了するまでの自装置の印刷動作状態とに基づいて、前記記憶手段に記憶されている前記印刷データを記憶手段から消去しまたは記憶手段に継続保持させるステップと、を画像形成装置のコンピュータに実行させるための印刷データ処理プログラム。
【発明の効果】
【００１０】
前項（１）に記載の発明によれば、印刷手段による印刷データの印刷が終了するまでの間、携帯端末との間で近距離無線通信手段による通信が可能か否かが判断され、その判断結果と、印刷データの印刷が終了するまでの自装置の印刷動作状態とに基づいて、印刷データは記憶手段から消去されまたは継続保持される。従って、例えば画像形成装置にトラブルが発生しても、携帯端末との近距離無線通信が可能なときは、印刷を指示したユーザが画像形成装置の近くにいると予想されるから、印刷データをそのまま継続保持する一方、携帯端末との近距離無線通信が不能となり、ユーザが立ち去ったことが予想される場合は、印刷データを消去してセキュリティを確保する、というような動作が可能となる。このため、ユーザの利便性を確保しながら印刷データのセキュリティをも確保することができる。
【００１１】
前項（２）に記載の発明によれば、近距離無線通信手段による印刷データの受信開始後印刷手段による印刷開始前に、正常印刷動作可能であるにもかかわらず、前記携帯端末との通信が不能と判断された場合は、印刷を指示したユーザが印刷を待ちきれず、または誤って印刷を指示した可能性が高いことが予想されるので、印刷データは消去される。従って、印刷データが第三者に知られるのが防止され、印刷データのセキュリティを確保できる。
【００１２】
前項（３）に記載の発明によれば、携帯端末との通信が不能と判断されても、正常印刷動作中であれば、印刷が行われていることをユーザは了解しており、印刷物を取りに戻ってくることが予想されるので、印刷データは継続保持され、印刷動作は継続される。このため、ユーザの利便性を確保できる。
【００１３】
前項（４）に記載の発明によれば、ユーザ操作を必要とすることなく正常印刷動作に復帰可能な原因による印刷動作の中断中に、携帯端末との通信が不能と判断された場合は、ユーザは印刷が終了したものと勘違いした可能性が予想されるので、印刷データは継続保持され、携帯端末との通信が可能となりかつ正常動作可能な状態に復帰したときに印刷動作が再開される。このため、ユーザの利便性を確保できる。
【００１４】
前項（５）に記載の発明によれば、ユーザ操作により正常印刷動作に復帰可能なトラブルにより印刷動作が中断しても、携帯端末との通信が可能と判断された場合は、ユーザ本人の操作またはユーザ本人の監視下での操作により、正常動作可能な状態に復帰させるための作業中と考えられ、ユーザは画像形成装置の近くにいると予想されるから、印刷データは継続保持され、正常動作可能な状態に復帰後に印刷動作が再開される。従って、ユーザの利便性を確保できる。
【００１５】
前項（６）に記載の発明によれば、ユーザ操作により正常印刷動作に復帰可能なトラブルによる印刷動作の中断中に、携帯端末との通信が不能と判断された場合は、ユーザは復帰操作を放棄して立ち去ったことが予想されるから、印刷データは消去され、セキュリティを確保できる。
【００１６】
前項（７）に記載の発明によれば、消耗品の補給により正常印刷動作に復帰可能なトラブルにより印刷動作が中断しても、携帯端末との通信が可能と判断された場合は、ユーザ本人の補給またはユーザ本人の監視下での補給作業中と考えられ、ユーザは画像形成装置の近くにいると予想されるから、印刷データは継続保持され、正常動作可能な状態に復帰後に印刷動作が再開される。従って、ユーザの利便性を確保できる。
【００１７】
前項（８）に記載の発明によれば、消耗品の補給により正常印刷動作に復帰可能なトラブルによる印刷動作の中断中に、携帯端末との通信が不能と判断された場合は、ユーザは消耗品を取りに出向いたことが予想されるのでしばらく待ち、通信不能時間が所定時間を上回ると、印刷データが消去される。このため、ユーザの利便性を確保しながら、印刷データが長時間放置されることによるセキュリティの低下を防止できる。
【００１８】
前項（９）に記載の発明によれば、通信不能時間は、携帯端末との通信が可能と判断された場合にリセットされるから、消耗品を取りに出向いたユーザが一旦画像形成装置に戻って再度出向いたような場合に、印刷データが消去されるのを防止でき、ユーザの利便性を図ることができる。
【００１９】
前項（１０）に記載の発明によれば、通信不能状態の継続中に、正常動作可能な状態に復帰した場合、ユーザ以外の他人が復帰させた可能性が高いことから、セキュリティを確保するため印刷データは消去される。
【００２０】
前項（１１）に記載の発明によれば、印刷データの消去後に、携帯端末との通信が可能と判断された場合、印刷データを消去したことが携帯端末に通知されるから、ユーザは印刷が終了していないことを認識することができる。
【００２１】
前項（１２）に記載の発明によれば、携帯端末との間でブルートゥースによる近距離無線通信が可能となる。
【００２２】
前項（１３）に記載の発明によれば、ユーザの利便性を確保しながら印刷データのセキュリティをも確保することができる。
【００２３】
前項（１４）に記載の発明によれば、印刷手段による印刷データの印刷が終了するまでの間、携帯端末との間で近距離無線通信手段による通信が可能か否かを判断し、その判断結果と、印刷データの印刷が終了するまでの自装置の印刷動作状態とに基づいて、印刷データを記憶手段から消去しまたは継続保持する処理を、画像形成装置のコンピュータに実行させることができる。
【発明を実施するための最良の形態】
【００２４】
以下、この発明の一実施形態を図面に基づいて説明する。
【００２５】
図１は、この発明の一実施形態に係る画像形成装置に、ユーザが携帯端末から印刷データを送信して、印刷を行わせる方法の一例を説明するための説明図である。
【００２６】
図１に示すように、ユーザＡは携帯電話等の携帯端末２から、携帯電話回線等の遠距離通信手段を介してサーバ３にアクセスし、サーバ３から印刷データをダウンロードする。そして、ダウンロードした印刷データを、印刷指示と共に、近距離無線通信により画像形成装置１に送信する。携帯端末２から印刷データを受信した画像形成装置１は、印刷指示に従って印刷データを印刷する。
【００２７】
なお、印刷データは、携帯端末２から画像形成装置１へ直接送信される他に、携帯端末２から送信されてきた印刷データの保存先情報に基づいて、画像形成装置１が保存先にアクセスすることにより取得しても良い。例えば、サーバ３やユーザのパーソナルコンピュータ等の記憶部（ハードディスク等）を印刷データの保存先とし、当該記憶部の印刷データが保存されている領域を示すパスやＵＲＬを保存先情報とすることができる。
【００２８】
また、この実施形態では、近距離無線通信はブルートゥースを用いて行われる場合を示すが、ブルートゥースに限らず他の近距離無線通信方式であってもよい。
【００２９】
図２は、図１の画像形成装置１の構成を示すブロック図である。この実施形態では、画像形成装置として、コピー機能、プリンタ機能、ファクシミリ機能、他装置へのデータ送信機能等の多機能が集約されたデジタル複合機である前述のＭＦＰが用いられているが、画像形成装置はＭＦＰに限定されることはない。例えば、複写機、プリンタ、ファクシミリなどであっても良い。
【００３０】
図２に示すように、画像形成装置１は、ＣＰＵ１０１と、プログラムＲＯＭ１０２と、ワークＲＡＭ１０３と、スキャナ１０４と、プリンタ１０５と、操作パネル１０６と、記憶部１０７と、ファクシミリ（ＦＡＸ）装置１０８と、ネットワークコントローラ１０９と、近距離無線通信部１１０等を備えている。
【００３１】
前記ＣＰＵ１０１は、画像形成装置１の全体を統括制御する他に、この実施形態では、携帯端末２から送信され記憶部１０７に記憶されている印刷データを消去するかどうかを、プリンタ１０５の動作状態と携帯端末２との無線通信の可否に基づいて制御する。
【００３２】
前記プログラムＲＯＭ１０２は、ＣＰＵ１０１の動作プログラム等を格納するメモリであり、前記ワークＲＡＭ１０３は、ＣＰＵ１０１が動作プログラムに基づいて動作する際の作業領域を提供するメモリである。この実施形態では、印刷データを送信してきた携帯端末２についての情報が、ワークＲＡＭ１０３に保存される。
【００３３】
前記スキャナ１０４は、原稿台（図示せず）に置かれた原稿の画像を読み取り、画像データを出力する読み取り手段である。
【００３４】
前記プリンタ１０５は、前記スキャナ１０４で読み取られた原稿の画像データや、携帯端末２から送信されてきた印刷データや、ユーザコンピュータから送信されてきた印刷データ等を、指示されたモードに従って印刷するものである。
【００３５】
前記操作パネル１０６は、各種入力や表示のために使用されるものである。この操作パネル１０６は、図３に示すように、テンキー１０６ａ、スタートキー１０６ｂ、モード選択キー１０６ｃ等を備えたキー部１０６１と、液晶タッチパネルからなる表示部１０６２を備えている。尚、図３の符号１０６ｄはモード選択キー１０６ｃのいずれが選択されているかを示すＬＥＤ表示部である。
【００３６】
前記記憶部１０７は、例えばハードディスクドライブ（ＨＤＤ）などの不揮発性の記憶媒体により構成されている。この記憶部１０７には、前述した画像データや印刷データが記憶される。
【００３７】
前記ＦＡＸ装置１０８は、電話回線を通じてＦＡＸによる送受信を行うものである。
【００３８】
前記ネットワークコントローラ１０９は、ネットワーク上の他の画像形成装置や、その他の外部機器例えばユーザコンピュータ等との間での通信を制御するものである。
【００３９】
前記近距離無線通信部１１０は、近隣に存在する携帯端末２との間で無線通信を実現するためのものである。この実施形態では、近距離無線通信方式として前述したようにブルートゥースが用いられている。
【００４０】
図４は、前記ワークＲＡＭ１０３に保存されている携帯端末２の情報（以下、携帯端末情報という）のリストを示す図である。
【００４１】
画像形成装置１は携帯端末２からのプリントジョブの受信時に、送信元の携帯端末固有の情報を、携帯端末ＩＤとして保存する。携帯端末情報にはさらに、携帯端末ＩＤ以外に、「ジョブ」、「処理状況」、「通信可否」、「通信否からの時間」の各項目が含まれている。
【００４２】
「ジョブ」の項目には、ジョブの状態が示されており、受信開始から正常にジョブが終了するまで「処理中」が設定され、ジョブが正常に終了せず印刷データが消去された場合「消去」が設定される。なお、ユーザ操作によりジョブが破棄された場合は印刷データの全ページの排出が、正常に終了したとみなされる。
【００４３】
「処理状況」の項目には、ジョブの処理状況が示されており、何ページ受信し、何ページ目までプリントが終了したかが示されている。
【００４４】
「通信可否」の項目には、携帯端末２との通信が可能か不能かが示されている。携帯端末２との通信の可否は定期的に確認され、確認結果に応じて、この情報が更新される。
【００４５】
「通信否からの時間」の項目には、携帯端末２との通信ができない時間の継続時間が示される。
【００４６】
図４の例では、「０１−２３−４５−６７−８９−ＡＢ」のＩＤの携帯端末２からの印刷ジョブが処理中であることが示され、「ＣＤ−ＥＦ−１２−３４−５６−７８」のＩＤの携帯端末２からの印刷ジョブについては、１０ページのデータが受信され、５ページ目までプリントが終了したところで印刷データが消去されたことが示されている。また、「０１−２３−４５−６７−ＡＢ−ＣＤ」のＩＤの携帯端末２からの印刷ジョブについては、２ページのデータが受信され、１ページもプリントが終了することなく印刷データが消去されたことが示されている。
【００４７】
携帯端末情報リストに含まれる各携帯端末情報は、印刷データの全ページの排出が正常に終了したとき、または携帯端末２への処理状況の送信が終了したときに、消去される。
【００４８】
図５〜７は、携帯端末２から送信された印刷データの消去に関して、前記画像形成装置１で実行される制御の基本的な考え方を説明するための説明図である。
【００４９】
図５に示すように、印刷ジョブを送信した携帯端末２とのブルートゥース接続が画像形成装置１により確認できる場合、換言すればブルートゥースによる近距離無線通信が可能な場合は、その携帯端末２の所有者つまり印刷を指示したユーザが画像形成装置１の近くにいるものと判断される。
【００５０】
図６に示すように、印刷ジョブを送信した携帯端末２とのブルートゥース接続が確認できない場合、換言すればブルートゥースによる近距離無線通信が不能な場合は、印刷を指示したユーザが画像形成装置１の近くにいないものと判断される。
【００５１】
図７に示すように、印刷ジョブを送信した携帯端末２とのブルートゥース接続が確認できない場合に、画像形成装置１の操作が行われたときは、印刷を指示したユーザ以外の第三者により操作が行われたものと判断される。
【００５２】
このような通信可否の判断結果と、印刷データの印刷が終了するまでの画像形成装置１の印刷動作状態とに基づいて、印刷データを消去するかしないかに関する制御が行われる。
【００５３】
図８に、上記のような印刷データを消去するかしないかに関する制御を行うための具体的な処理テーブルを示す。
【００５４】
このテーブルには、画像形成装置１（図８及び以下の説明において、画像形成装置をＭＦＰと記すこともある）のステータス（印刷動作状態）として、「待機中」「印刷開始前」「印刷中」「安定化処理中１」「安定化処理中２」「安定化処理中３」「ジャム中１」「ジャム中２」「ペーパエンプティ中１」「ペーパエンプティ中２」「待ち」の各項目が設定されている。
【００５５】
なお、安定化処理とは、画像形成装置の出力画像が、環境や機械のばらつきによらず安定した濃度と階調再現とで得られるよう、機械内部の状態をセンサで自己診断し、画像形成装置の感光体の帯電電圧やレーザ光量などを切替える処理をいう。また、ジャムは紙詰まりであり、ペーパエンプティは印刷データが転写される用紙がなくなった状態をいう。
【００５６】
そして、上記各ステータスについて、「ＭＦＰステータスの遷移条件」「遷移後のＭＦＰステータス」「ＭＦＰの処理」の各項目が設定されており、「ＭＦＰステータスの遷移条件」にはさらに、「通信可否」「通信変化イベント」「ＭＦＰ動作」の項目が設定されている。
【００５７】
通信変化イベントまたはＭＦＰの動作が発生すると、図８のテーブルに従い「ＭＦＰステータス」が遷移し、「ＭＦＰの処理」に規定された処理を行う。「ＭＦＰステータスの遷移条件」における「通信可否」は、図４に示した携帯端末情報において、「ジョブ」の項目が「処理中」となっている携帯端末２の「通信可否」の項目の情報を取り出して使用する。
【００５８】
図８の処理テーブルについてはさらに後述する。
【００５９】
図９は、通信変化イベントまたはＭＦＰの動作イベントが発生したときの、画像形成装置１の動作を示すフローチャートである。このフローチャートに示される動作及び図１０以降のフローチャートに示される動作は、画像形成装置１のＣＰＵ１０１が、プログラムＲＯＭ１０２等の記録媒体に記録された動作プログラムに従って動作することにより実行される。
【００６０】
ステップＳ０１で、通信変化イベントまたはＭＦＰの動作イベントが発生すると、ステップＳ０２で、図８に示した「ＭＦＰステータスの遷移条件」に従って「ＭＦＰステータス」の項目の内容を変更する。
【００６１】
ステップＳ０３では、「ＭＦＰの処理」の項目の内容が「印刷終了」であるかどうかを調べ、印刷終了であれば（ステップＳ０３でＹＥＳ）、ステップＳ０４で、図４に示す携帯端末情報リストにおいて「処理中」となっている携帯端末情報を消去する。そして、ステップＳ０５で、受信され記憶部１０７に記憶されている印刷データを消去する。
【００６２】
ステップＳ０３で、「ＭＦＰの処理」の項目の内容が「印刷終了」でなければ（ステップＳ０３でＮＯ）、ステップＳ０６で、「ＭＦＰの処理」の項目の内容が「印刷データの消去」であるかどうかを調べる。「印刷データの消去」であれば（ステップＳ０６でＹＥＳ）、ステップＳ０７で、携帯端末情報の「ジョブ」の項目を「処理中」から「消去」に変更したのち、ステップＳ０８で、印刷データを消去する。
【００６３】
ステップＳ０６で、「印刷データの消去」でなければ（ステップＳ０６でＮＯ）、ステップＳ０９で、「ＭＦＰの処理」に規定されている処理を実行する。
【００６４】
図１０は、携帯端末２からの印刷要求を受信する処理を示すフローチャートである。
【００６５】
画像形成装置１の近くで、携帯端末２のユーザが印刷要求を近距離無線通信により送信すると、ステップＳ２１でこの印刷要求が受信される。次にステップＳ２２で、操作パネル１０６に図１１に示すようなＰＩＮコード等のパスワードを表示する。このパスワードを見た携帯端末２のユーザが、携帯端末２にパスワードを入力して送信すると、ステップＳ２３で、画像形成装置１はこれを受信し、ステップＳ２４で、前記表示したパスワードと受信したパスワードが一致しているかどうかを判断する。
【００６６】
パスワードが一致しなければ（ステップＳ２４でＮＯ）、そのままリターンする。パスワードが一致すれば（ステップＳ２４でＹＥＳ）、ステップＳ２５で、携帯端末２へ印刷許可を送信する。携帯端末２から印刷データが送信されてくると、ステップＳ２６でこの印刷データを受信し、記憶部１０７に記憶し、携帯端末情報リストに登録する。
【００６７】
図１２は、画像形成装置１が行う定期検索処理のフローチャートである。画像形成装置１は、携帯端末２から印刷要求のある印刷データを受信する以外に、定期的（例えば１秒毎）に近距離無線通信により携帯端末２の検索要求を送信し、通信可能な携帯端末２について情報を収集し、応答のあった携帯端末２のリスト（応答端末リスト）を作成する。
【００６８】
ステップＳ３１で、近距離無線通信により携帯端末２の検索要求を送信したのち、ステップＳ３２で、応答端末リストを作成する。このリストは、定期検索処理のたびに作成される。
【００６９】
図１３に、作成された応答端末リストを示す。このリストには、応答のあった携帯端末のＩＤが記述されている。従って、このリストにある携帯端末２は、近距離無線による通信が可能な携帯端末であると判断され、これ以外の携帯端末は、近距離無線による通信が不能な携帯端末であると判断される。
【００７０】
ステップＳ３３では、作成した応答端末リストと図４の携帯端末情報リストを用いて、通信不能時間を測定する時間計測処理を行い、ステップＳ３４では、携帯端末２へ消去した印刷データがあることを通知する削除通知処理を行い、ステップＳ３５では、通信状態が通信可能から不能へまたは不能から可能へ変化した場合に通信変化イベントを発生させる通信変化確認処理を行う。
【００７１】
図１４は、図１２のフローチャートにおけるステップＳ３３の時間計測処理を示すフローチャートである。
【００７２】
ステップＳ３３１で、時間計測フラグが「ＯＮ」かどうかを判断し、「ＯＮ」ではない場合は（ステップＳ３３１でＮＯ）、そのままリターンする。時間計測フラグが「ＯＮ」のときは（ステップＳ３３１でＹＥＳ）、ステップＳ３３２で、携帯端末情報リストから「処理中」の携帯端末情報を取り出し、ステップＳ３３３で、応答端末リストに一致する携帯端末ＩＤがあるかどうかを調べる。一致する携帯端末ＩＤがある場合（ステップＳ３３３でＹＥＳ）、ステップＳ３３４で、携帯端末情報の「通信否からの時間」の項目を「０」に変更する。一致するＩＤが無い場合には（ステップＳ３３３でＮＯ）、ステップＳ３３５で、携帯端末情報の「通信否からの時間」の項目における現在の設定時間に１秒を加算する。
【００７３】
次に、ステップＳ３３６で、携帯端末情報の「通信否からの時間」が所定時間（この実施形態では６００秒）に達したかどうかが判断され、達していなければ（ステップＳ３３６でＮＯ）そのままリターンし、達していれば（ステップＳ３３６でＹＥＳ）、ステップＳ３３７で、図８のテーブルの「MFP動作」における「所定時間経過」イベントを発生させる。
【００７４】
図１５は、図１２のフローチャートにおけるステップＳ３４の削除通知処理を示すフローチャートである。
【００７５】
ステップＳ３４１で、携帯端末情報リストから「ジョブ」の欄が「消去」に設定されている携帯端末情報を順次取り出す処理を行い、ステップＳ３４２で、「ジョブ」が「消去」に設定されている携帯端末の情報があるかどうか判断する。あれば（ステップＳ３４２でＹＥＳ）、ステップＳ３４３で、その情報の携帯端末ＩＤと応答端末リストの携帯端末ＩＤを比較し、応答端末リストの中に一致する携帯電話ＩＤがあるかどうかを判断する。一致するＩＤがなければ（ステップＳ３４３でＮＯ）、ステップＳ３４１に戻る。
【００７６】
一致するＩＤがあれば（ステップＳ３４３でＹＥＳ）、ステップＳ３４４で、一致するＩＤの携帯端末に携帯端末情報の内容を送信して、印刷データが消去されたことをユーザに通知する。携帯端末２では、受信した処理状況を携帯端末２の表示部に表示し、これによりユーザは印刷ジョブが正常に終了していないことを認識することができる。
【００７７】
次いて、ステップＳ３４５で、通知を行った携帯端末に対応する携帯端末情報を携帯端末情報リストから削除したのち、ステップＳ３４１に戻って、ステップＳ３４１〜３４５の処理を繰り返す。
【００７８】
こうして、携帯端末情報リストにおいて「ジョブ」の項目に「消去」が設定されている携帯端末に、順次通知が行われる。
【００７９】
携帯端末情報リストにおいて、「ジョブ」の項目に「消去」が設定されている携帯端末情報がなくなると（ステップＳ３４２でＮＯ）、リターンする。
【００８０】
例えば、携帯端末情報リストが図１６、応答端末リストが図１７の場合、携帯端末情報リストのうち「ジョブ」の項目に「消去」が設定されている２個の携帯端末ＩＤのうち、「ＣＤ−ＥＦ−１２−３４−５６−７８」のＩＤについては応答端末リストに存在するから、このＩＤの携帯端末に印刷データが消去されたことが通知される。この場合、図１８に示すように、携帯端末２の表示部２１には、携帯端末情報に対応して、１０ページのデータのうち５ページまでのデータの印刷が終了していること、及び６ページ以降のデータは印刷できていないこと、及び印刷データは全て消去されたことが表示される。
【００８１】
図１９に、通知済の携帯端末２についての携帯端末情報を削除した後の携帯端末情報リストを示す。この例では、前述の「ＣＤ−ＥＦ−１２−３４−５６−７８」のＩＤの携帯端末情報が削除されている。
【００８２】
図２０は、図１２のフローチャートにおけるステップＳ３５の通信変化確認処理を示すフローチャートである。
【００８３】
ステップＳ３５１では、携帯端末情報リストから「ジョブ」の項目に「処理中」が設定されている携帯端末情報を取り出した後、ステップＳ３５２で、取り出された携帯端末情報の「通信可否」の項目に「可」が設定されているかどうかを判断する。
【００８４】
設定されていれば（ステップＳ３５２でＹＥＳ）、ステップＳ３５３で、応答端末リストに一致する携帯端末ＩＤがあるかどうかを調べ、一致するＩＤがあれば（ステップＳ３５３でＹＥＳ）、リターンする。
【００８５】
一致するＩＤがなければ（ステップＳ３５３でＮＯ）、ステップＳ３５４で、携帯端末情報の「通信可否」の項目を「否」に変更した後、ステップＳ３５５で、図８のテーブルにおける通信変化イベント（通信状態が可から否）を発生させる。
【００８６】
一方、ステップＳ３５２で、携帯端末情報の「通信可否」の項目が「可」でなければ（ステップＳ３５２でＮＯ）、ステップＳ３５６で、応答端末リストに一致する携帯端末ＩＤがあるかどうかを調べ、一致するＩＤがなければ（ステップＳ３５６でＮＯ）、リターンする。
【００８７】
一致するＩＤがあれば（ステップＳ３５６でＹＥＳ）、ステップＳ３５７で、携帯端末情報の「通信可否」の項目を「可」に変更した後、ステップＳ３５８で、図８のテーブルにおける通信変化イベント（通信状態が否から可）を発生させる。
【００８８】
次に、図８に示した処理テーブルで示された処理の具体例を説明する。
【００８９】
図２１は、携帯端末２から印刷データを受信したのち印刷が終了するまでの通常動作時の処理を説明するための図である。
【００９０】
なお、以下の図において、中央に記載されたブロックは画像形成装置１が行う処理を示し、左側の「ＭＦＰステータス」は図８の「ＭＦＰステータス」に対応し、右側の「イベント」は図８の「通信変化イベント」の発生または「ＭＦＰの動作」についてのイベントの発生を示す。
【００９１】
画像形成装置１が携帯端末２からの印刷データの受信を許可する（♯０１）。このとき、「ＭＦＰステータス」は「待機中」になっている。
【００９２】
次に、画像形成装置１が印刷データの受信を開始すると（♯０２）、「ＭＦＰステータス」は「待機中」から「印刷開始前」に遷移する。画像形成装置１は、次いで、携帯端末情報リストに携帯端末情報を「処理中」として登録し（♯０３）、携帯端末２から印刷データの受信を終了すると（♯０４）、印刷を開始する（♯０５）。印刷開始により、「ＭＦＰステータス」が「印刷開始前」から「印刷中」に遷移する。
【００９３】
印刷が終了するまで印刷が行われ（♯０６）、印刷が終了すると（♯０７）、「ＭＦＰステータス」が「印刷中」から「待機中」に遷移する。画像形成装置１は、印刷終了後、携帯端末情報リストの中の「処理中」の携帯端末情報を消去し（♯０７）、受信した印刷データを記憶部１０７から消去する（♯０９）。
【００９４】
図２２は、携帯端末２からの印刷データ受信完了前に、携帯端末２との近距離無線通信が不能になった時の処理例を示す図である。この例では、携帯端末２との通信ができなくなると、画像形成装置１内の印刷データを消去するものとなされている。
【００９５】
なお、図２２以降の図面において、図２１と同一の動作については同一の動作番号を付し、説明を省略ないし簡略化する。
【００９６】
画像形成装置１が携帯端末２から印刷データの受信を開始し（♯０２）、携帯端末情報リストに「処理中」として登録する（♯０３）。印刷開始までの間に、携帯端末２との近距離無線通信が可能な状態から不能な状態に変化すると、通信変化イベントが発生し、画像形成装置１は、該当する携帯端末情報の「ジョブ」の項目を「処理中」から「消去」に変更する（♯１４）。なお、「ＭＦＰステータス」が「印刷開始前」から「待機中」に遷移する。そして、既に受信済みの印刷データが消去される（♯１５）。
【００９７】
このようにこの実施形態では、携帯端末２からの印刷データを受信開始後印刷開始前に、携帯端末との通信状態が、通信可能から通信不能に遷移した時は、印刷データが消去される。これは、画像形成装置１が正常印刷動作可能であるにもかかわらず、携帯端末２との通信が不能と判断された場合は、印刷を指示したユーザが印刷を待ちきれず、または誤って印刷を指示した可能性が高いことが予想されるので、印刷データを消去する構成としたものである。従って、印刷データが第三者に知られるのが防止され、印刷データのセキュリティを確保できる。
【００９８】
図２３は、画像形成装置１の正常印刷動作中に、携帯端末２との近距離無線通信が不能になった時の処理例を示す図である。この例では、携帯端末２との通信ができなくなっても、画像形成装置１内の印刷データは消去することなく継続保持され、印刷動作が続行されるものとなされている。
【００９９】
画像形成装置１は、携帯端末２から印刷データの受信を終了すると（♯０４）、印刷を開始し（♯０５）、印刷動作を実行する（♯０６）。印刷中に、携帯端末２との近距離無線通信が可能な状態から不能な状態に変化しても、画像形成装置１の処理は変更されず、そのまま印刷が続行される。このように印刷を続行させるのは、正常印刷動作中であれば、ユーザは印刷が行われていることを了解しており、印刷物を取りに戻ってくることが予想されるので、印刷データを継続保持し、印刷動作を継続する構成としたものである。これにより、ユーザによる再度の印刷要求操作を不要にして、ユーザの利便性を確保することができる。
【０１００】
なお、印刷終了後に印刷データは消去される（♯０９）。
【０１０１】
図２４は、ユーザ操作を必要とすることなく正常印刷動作に復帰可能な原因による印刷動作の中断中に、携帯端末２との近距離無線通信が不能になった時の処理例を示す図である。この例では、携帯端末２との通信ができなくなっても、画像形成装置１内の印刷データは消去することなく継続保持され、携帯端末との通信が可能となりかつ正常動作可能な状態に復帰したときに印刷動作が再開されるものとなされている。また、ユーザ操作を必要とすることなく正常印刷動作に復帰可能な原因として、安定化処理による動作中断の場合を示しているが、これに限定されることはない。
【０１０２】
画像形成装置１の印刷中（♯０６）に、安定化処理の開始が発生すると（♯３７）、印刷動作が中断され、「ＭＦＰステータス」が「印刷中」から「安定化処理中１」に遷移する。安定化処理の実行（♯３８）により、「ＭＦＰステータス」が「安定化処理中１」から「安定化処理中３」に遷移する。安定化処理中に携帯端末２との近距離無線通信が可能な状態から不能な状態に変化しても、画像形成装置１は安定化処理を継続し、印刷データは消去されることなく継続保持される。
【０１０３】
安定化処理が終了すると（♯３９）、画像形成装置は正常動作可能な状態に復帰し、「ＭＦＰステータス」が「安定化処理中３」から「待ち」に遷移し、携帯端末２との近距離無線通信が可能になるのを待つ（♯４０）。
【０１０４】
携帯端末２との近距離無線通信が可能になると（♯４０）、「ＭＦＰステータス」が「待ち」から「印刷中」に遷移し、印刷が再開される（♯４１）。印刷終了後（♯０７）に印刷データが消去される（♯０９）。
【０１０５】
このように、ユーザ操作を必要とすることなく正常印刷動作に復帰可能な原因による印刷動作の中断中に、携帯端末２との通信が不能と判断された場合は、ユーザは印刷が終了したものと勘違いした可能性が予想されるので、印刷データは継続保持され、携帯端末２との通信が可能となりかつ正常動作可能な状態に復帰したときに印刷動作を再開する構成としたものである。これにより、ユーザの利便性を確保するできる。
【０１０６】
図２５は、ユーザ操作により正常印刷動作に復帰可能なトラブルにより、印刷動作が中断したときに、携帯端末２との近距離無線通信が可能に維持されている場合の処理例を示す図である。この例では、携帯端末２との通信ができていれば、画像形成装置１内の印刷データは消去することなく継続保持され、正常動作可能な状態に復帰したときに印刷動作が再開されるものとなされている。また、ユーザ操作により正常印刷動作に復帰可能なトラブルの例として、ジャムによる動作中断の場合を示しているが、これに限定されることはない。
【０１０７】
画像形成装置１の印刷中（♯０６）に、ジャムが発生すると（♯５７）、印刷動作が中断され、「ＭＦＰステータス」が「印刷中」から「ジャム中１」に遷移する。ジャム中（♯５８）は、「ＭＦＰステータス」が「ジャム中１」に維持される。また、携帯端末２とは通信可能な状態が維持されており、印刷データも消去されることなく継続保持されている。
【０１０８】
ジャム処理の確認（ジャム処理終了）イベントが発生すると、印刷が再開される（♯５９）。印刷終了（♯０７）後、印刷データが消去される（♯０９）。
【０１０９】
このように、この実施形態では、ユーザ操作により正常印刷動作に復帰可能なトラブルにより印刷動作が中断しても、携帯端末２との通信が可能と判断された場合は、ユーザ本人の操作またはユーザ本人の監視下での操作により、正常動作可能な状態に復帰させるための作業中と考えられ、ユーザは画像形成装置の近くにいると予想される。このため、印刷データは継続保持され、正常動作可能な状態に復帰後に印刷動作が再開され、ユーザの利便性が確保される。
【０１１０】
図２６は、図２５と同じくジャムの発生により印刷動作が中断したときに、携帯端末２との近距離無線通信ができなくなった場合の処理例を示す図である。この例では、携帯端末２との通信ができなくなると、画像形成装置１内の印刷データを消去するものとなされている。
【０１１１】
ジャムによる印刷動作の中断中（♯７８）に、携帯端末２との近距離無線通信が可能な状態から不能な状態に変化すると、携帯端末情報リストの該当する携帯端末情報における「ジョブ」の項目が「処理中」から「消去」に変更される（♯７９）。「ＭＦＰステータス」は「ジャム中１」から「待機中」に遷移する。そして、印刷データが消去される（♯８０）。
【０１１２】
このように、この実施形態では、ユーザ操作により正常印刷動作に復帰可能なトラブルによる印刷動作の中断中に、携帯端末２との通信が不能と判断された場合は、ユーザは復帰操作を放棄して立ち去ったことが予想されるから、印刷データを消去する構成としたものである。これにより、印刷データが第三者に知られるのを抑制でき、セキュリティを確保できる。
【０１１３】
図２７は、消耗品の補給により正常印刷動作に復帰可能なトラブルにより印刷動作が中断したときに、携帯端末２との近距離無線通信が可能に維持されている場合の処理例を示す図である。この例では、携帯端末２との通信ができていれば、画像形成装置１内の印刷データは消去することなく継続保持され、正常動作可能な状態に復帰したときに印刷動作が再開されるものとなされている。また、消耗品の補給により正常印刷動作に復帰可能なトラブルの例として、ペーパーエンプティによる動作中断の場合を示しているが、これに限定されることはなく、トナーエンプティ等の他の消耗品の補給を必要とするトラブルであっても良い。
【０１１４】
画像形成装置１の印刷中（♯０６）に、ペーパーエンプティが発生すると（♯９７）、印刷動作が中断され、「ＭＦＰステータス」が「印刷中」から「ペーパーエンプティ中１」に遷移する。ペーパーエンプティ中（♯９８）は、「ＭＦＰステータス」が「ペーパーエンプティ中１」に維持される。また、携帯端末２とは通信可能な状態が維持されており、印刷データも消去されることなく継続保持されている。
【０１１５】
用紙補給の確認（用紙補給終了）イベントが発生すると、印刷が再開される（♯９９）。印刷終了（♯０７）後、印刷データが消去される（♯０９）。
【０１１６】
このように、この実施形態では、消耗品の補給により正常印刷動作に復帰可能なトラブルにより印刷動作が中断しても、携帯端末２との通信が可能と判断された場合は、ユーザ本人の補給またはユーザ本人の監視下での補給作業中と考えられ、ユーザは画像形成装置１の近くにいると予想されるから、印刷データは継続保持され、正常動作可能な状態に復帰後に印刷動作が再開される。従って、ユーザの利便性を確保できる。
【０１１７】
図２８は、図２７と同じくペーパーエンプティの発生により印刷動作が中断したときに、携帯端末２との近距離無線通信ができなくなった場合の処理例を示す図である。この例では、携帯端末２との通信ができなくなっても、画像形成装置１内の印刷データを消去することなく所定時間の経過を待ち、携帯端末２との通信が可能にならなければ、所定時間の経過後に画像データを消去するものとなされている。
【０１１８】
ペーパーエンプティによる印刷動作の中断中（♯９８）に、携帯端末２との近距離無線通信が可能な状態から不能な状態に変化すると、通信不能時間（通信否からの時間）の計測を開始する（♯１１１）。
【０１１９】
通信不能時間が所定時間を経過すると（♯１１２）、「ＭＦＰステータス」が「ペーパーエンプティ中１」から「待機中」に遷移する。そして、携帯端末情報リストの該当する携帯端末情報における「ジョブ」の項目が「処理中」から「消去」に変更され（♯１１３）、印刷データが消去される（♯１１４）。
【０１２０】
このように、この実施形態では、消耗品の補給により正常印刷動作に復帰可能なトラブルによる印刷動作の中断中に、携帯端末２との通信が不能と判断された場合は、ユーザは消耗品を取りに出向いたことが予想されるのでしばらく待ち、通信不能時間が所定時間を上回ると、印刷データが消去される。このため、ユーザの利便性を確保しながら、印刷データが長時間放置されることによるセキュリティの低下を防止できる。
【０１２１】
図２９は、図２８と同じくペーパーエンプティの発生により印刷動作が中断したときに、携帯端末２との近距離無線通信ができなくなっても、所定時間以内に携帯端末２との通信が可能となった場合の処理例を示す図である。この例では、前記通信不能時間がリセットされるものとなされている。
【０１２２】
ペーパーエンプティによる印刷動作の中断中（♯９８）に、携帯端末２との近距離無線通信が可能な状態から不能な状態に変化すると、通信不能時間（通信否からの時間）の計測を開始する（♯１２１）。
【０１２３】
通信不能時間の計測中（♯１２２）に、携帯端末２との近距離無線通信が不能な状態から可能な状態に変化すると、通信不能時間の計測を停止し、携帯端末情報リストの該当する携帯端末情報における「通信否からの時間」にゼロを設定する（♯１２３）。
【０１２４】
その後、通常のペーパエンプティの処理に戻る（♯１２４）。
【０１２５】
このように、この実施形態では、通信不能時間は、携帯端末との通信が可能と判断された場合にリセットされるから、消耗品を取りに出向いたユーザが一旦画像形成装置に戻って再度出向いたような場合に、印刷データが消去されるのを防止でき、ユーザの利便性を図ることができる。
【０１２６】
図３０は、図２９と同じくペーパーエンプティの発生により印刷動作が中断し、かつ携帯端末２との近距離無線通信が不能な状態で、所定時間の経過前にペーパーエンプティが解消された場合の処理を示す図である。
【０１２７】
ペーパーエンプティによる印刷動作の中断中（♯９８）に、携帯端末２との近距離無線通信が可能な状態から不能な状態に変化すると、通信不能時間（通信否からの時間）の計測を開始する（♯１３１）。
【０１２８】
通信不能時間の計測中（♯１３２）に、用紙補給の確認（用紙補給終了）イベントが発生すると、携帯端末情報リストの該当する携帯端末情報における「ジョブ」の項目が「処理中」から「消去」に変更され（♯１３３）、印刷データが消去される（♯１３４）。
【０１２９】
このように、この実施形態では、消耗品の補給により正常印刷動作に復帰可能なトラブルにより印刷動作が中断し、携帯端末２との通信が不能な状態の継続中に、消耗品が補給され画像形成装置１が正常動作可能な状態に復帰した場合には、ユーザ以外の他人が復帰させた可能性が高いことから、印刷データを消去する構成としたものである。これにより、印刷データのセキュリティを確保することができる。
【図面の簡単な説明】
【０１３０】
【図１】この発明の一実施形態に係る画像形成装置に、ユーザが携帯端末から印刷データを送信して、印刷を行わせる方法の一例を説明するための説明図である。
【図２】図１の画像形成装置の構成を示すブロック図である。
【図３】操作パネルの平面図である。
【図４】携帯端末情報のリストを示す図である。
【図５】携帯端末２から送信された印刷データの消去に関して、画像形成装置で実行される制御の基本的な考え方を説明するための説明図である。
【図６】同じく、画像形成装置で実行される制御の基本的な考え方を説明するための説明図である。
【図７】同じく、画像形成装置で実行される制御の基本的な考え方を説明するための説明図である。
【図８】印刷データを消去するかしないかに関する制御を行うための具体的な処理テーブルを示す図である。
【図９】通信変化イベントまたはＭＦＰの動作イベントが発生したときの、画像形成装置の動作を示すフローチャートである。
【図１０】携帯端末からの印刷要求を受信する処理を示すフローチャートである。
【図１１】パスワードが表示された操作パネルの表示部の平面図である。
【図１２】画像形成装置が行う定期検索処理のフローチャートである。
【図１３】応答端末リストを示す図である。
【図１４】図１２のフローチャートにおけるステップＳ３３の時間計測処理を示すフローチャートである。
【図１５】図１２のフローチャートにおけるステップＳ３４の削除通知処理を示すフローチャートである。
【図１６】携帯端末情報リストの一例を示す図である。
【図１７】応答端末リストの一例を示す図である。
【図１８】携帯端末の表示部に表示された、印刷データが消去されたことを示すメッセージを示す図である。
【図１９】通知済の携帯端末についての携帯端末情報を削除した後の携帯端末情報リストを示す図である。
【図２０】図１２のフローチャートにおけるステップＳ３５の通信変化確認処理を示すフローチャートである。
【図２１】携帯端末から印刷データを受信したのち印刷が終了するまでの通常動作時の処理を説明するための図である。
【図２２】携帯端末からの印刷データ受信完了前に、携帯端末との近距離無線通信が不能になった時の処理例を示す図である。
【図２３】画像形成装置の正常印刷動作中に、携帯端末との近距離無線通信が不能になった時の処理例を示す図である。
【図２４】ユーザ操作を必要とすることなく正常印刷動作に復帰可能な原因による印刷動作の中断中に、携帯端末との近距離無線通信が不能になった時の処理例を示す図である。
【図２５】ユーザ操作により正常印刷動作に復帰可能なトラブルにより、印刷動作が中断したときに、携帯端末との近距離無線通信が可能に維持されている場合の処理例を示す図である。
【図２６】図２５と同じくジャムの発生により印刷動作が中断したときに、携帯端末との近距離無線通信ができなくなった場合の処理例を示す図である。
【図２７】消耗品の補給により正常印刷動作に復帰可能なトラブルにより印刷動作が中断したときに、携帯端末との近距離無線通信が可能に維持されている場合の処理例を示す図である。
【図２８】図２７と同じくペーパーエンプティの発生により印刷動作が中断したときに、携帯端末２との近距離無線通信ができなくなった場合の処理例を示すである。
【図２９】図２８と同じくペーパーエンプティによる印刷動作が中断したときに、携帯端末２との近距離無線通信ができなくなっても、所定時間以内に携帯端末２との通信が可能となった場合の処理例を示す図である。
【図３０】図２９と同じくペーパーエンプティによる印刷動作が中断し、かつ携帯端末との近距離無線通信が不能な状態で、所定時間の経過前にトナーエンプティが解消された場合の処理を示す図である。
【符号の説明】
【０１３１】
１      画像形成装置
２      携帯端末
１０１  ＣＰＵ
１０２  プログラムＲＯＭ
１０５  プリンタ
１０６  操作パネル
１０７  記憶部
１１０  近距離無線通信部
【図１】
2010005877.tif 000003
【図２】
2010005877.tif 000004
【図３】
2010005877.tif 000005
【図４】
2010005877.tif 000006
【図５】
2010005877.tif 000007
【図６】
2010005877.tif 000008
【図７】
2010005877.tif 000009
【図８】
2010005877.tif 000010
【図９】
2010005877.tif 000011
【図１０】
2010005877.tif 000012
【図１１】
2010005877.tif 000013
【図１２】
2010005877.tif 000014
【図１３】
2010005877.tif 000015
【図１４】
2010005877.tif 000016
【図１５】
2010005877.tif 000017
【図１６】
2010005877.tif 000018
【図１７】
2010005877.tif 000019
【図１８】
2010005877.tif 000020
【図１９】
2010005877.tif 000021
【図２０】
2010005877.tif 000022
【図２１】
2010005877.tif 000023
【図２２】
2010005877.tif 000024
【図２３】
2010005877.tif 000025
【図２４】
2010005877.tif 000026
【図２５】
2010005877.tif 000027
【図２６】
2010005877.tif 000028
【図２７】
2010005877.tif 000029
【図２８】
2010005877.tif 000030
【図２９】
2010005877.tif 000031
【図３０】
2010005877.tif 000032